(57)【要約】【課題】意匠性を向上させることができる壁取付け棚を提供することを目的としている。【解決手段】壁取付け棚１は、背面が壁面Ｗ側に固定される背面パネル２と、背面パネル２の表面に固定される一対の棚柱３と、を備え、  棚柱３は、背面パネル２の表面に当該棚柱３が固定される際に使用される棚柱固定用ねじ１１を挿通可能な棚柱固定用ねじ孔３ｂと、  背面パネル２の背面が壁面Ｗ側に固定される際に使用される背面パネル固定用ねじ１２を挿通可能な背面パネル固定用ねじ孔３ｃと、を有している。【選択図】図４
2018161171.tif 000002
【特許請求の範囲】
【請求項１】
一方の面が壁面側に固定される背板と、
前記背板の他方の面に固定される少なくとも一対の棚柱と、を備え、
前記棚柱は、前記背板の他方の面に当該棚柱が固定される際に使用される第１固定部材を挿通可能な第１孔部と、
前記背板の一方の面が壁面側に固定される際に使用される第２固定部材を挿通可能な第２孔部と、を有し、
前記第１孔部は、前記第１固定部材の頭部を収納可能であり、
前記第２孔部は、前記第２固定部材の頭部を収納可能であり、
前記第１孔部と、前記第２孔部とは別々に設けられてなる壁取付け棚。
【請求項２】
前記背板の一方の面には、前記壁面に固定された受桟に掛止する当接部材が設けられ、
前記第２孔部は、前記第２固定部材を挿通することにより、前記背板の一方の面を前記受桟に固定可能に形成されてなる請求項１に記載の壁取付け棚。
【請求項３】
壁面に固定された受桟に、背板の一方の面に固定された当接部材を掛止し、
前記背板の他方の面に固定された少なくとも一対の棚柱に形成された固定部材の頭部が収納可能な孔部に該固定部材を挿通することにより、前記背板の一方の面を前記受桟に固定してなる壁取付け棚の取付方法。
【発明の詳細な説明】
【技術分野】
【０００１】
本発明は、壁面に取り付けて使用される壁取付け棚及びその取付方法に関する。
【背景技術】
【０００２】
従来の壁取付け棚として、１対の棚柱（掛け止め体）を壁面にねじ固定し、１対の棚柱の掛止孔（掛け止め孔）に１対の棚受（受け止め具）を掛止し、１対の棚受に棚板を載架し、棚板に物品を載置して収納するものが知られている（特許文献１参照）。この種の壁取付け棚では、棚板を床面に対して平行となるように載架するために、１対の棚柱を、床面に対して垂直かつ互いに間隔をあけてそれぞれの掛止孔が同一高さとなるように壁面の所定位置に配置して固定する必要がある。そのため、現場における壁取付け棚の取付作業が困難であるという問題があった。そこで、このような問題を解決するために、工場において１対の棚柱を背板の所定位置に固定し、現場において１対の棚柱が固定された背板を壁面にねじ固定することが考えられる。
【先行技術文献】
【特許文献】
【０００３】
【特許文献１】特許第５１２８１８８号公報
【発明の概要】
【発明が解決しようとする課題】
【０００４】
しかしながら、上記のような壁取付け棚では、固定用ねじの頭部が背板の表面に露出することになるから、意匠性が著しく低下するといった問題があった。
【０００５】
そこで、本発明は、上述の問題に鑑み、意匠性を向上させることができる壁取付け棚及びその取付方法を提供することを目的としている。
【課題を解決するための手段】
【０００６】
上記目的を達成するための手段を図面の参照符号を付して示せば、請求項１の発明に係る壁取付け棚１は、一方の面（背面）が壁面Ｗ側に固定される背板（背面パネル２）と、
前記背板（背面パネル２）の他方の面（表面）に固定される少なくとも一対の棚柱３と、を備え、
前記棚柱３は、前記背板（背面パネル２）の他方の面（表面）に当該棚柱３が固定される際に使用される第１固定部材（棚柱固定用ねじ１１）を挿通可能な第１孔部（棚柱固定用ねじ孔３ｂ）と、
前記背板（背面パネル２）の一方の面（背面）が壁面Ｗ側に固定される際に使用される第２固定部材（背面パネル固定用ねじ１２）を挿通可能な第２孔部（背面パネル固定用ねじ孔３ｃ）と、を有し、
前記第１孔部（棚柱固定用ねじ孔３ｂ）は、前記第１固定部材（棚柱固定用ねじ１１）の頭部を収納可能であり、
前記第２孔部（背面パネル固定用ねじ孔３ｃ）は、前記第２固定部材（背面パネル固定用ねじ１２）の頭部を収納可能であり、
前記第１孔部（棚柱固定用ねじ孔３ｂ）と、前記第２孔部（背面パネル固定用ねじ孔３ｃ）とは別々に設けられてなることを特徴としている。
【０００７】
請求項２の発明は、上記請求項１に記載の壁取付け棚１において、前記背板（背面パネル２）の一方の面（背面）には、前記壁面Ｗに固定された受桟２０ａ，２０ｂに掛止する当接部材（当て木６ａ，６ｂ）が設けられ、
前記第２孔部（背面パネル固定用ねじ孔３ｃ）は、前記第２固定部材（背面パネル固定用ねじ１２）を挿通することにより、前記背板（背面パネル２）の一方の面を前記受桟２０ａ，２０ｂに固定可能に形成されてなることを特徴としている。
【０００８】
一方、請求項３の発明に係る壁取付け棚１の取付方法は、壁面Ｗに固定された受桟２０ａ，２０ｂに、背板（背面パネル２）の一方の面（背面）に固定された当接部材（当て木６ａ，６ｂ）を掛止し、
前記背板（背面パネル２）の他方の面（表面）に固定された少なくとも一対の棚柱３に形成された固定部材（背面パネル固定用ねじ１２）の頭部が収納可能な孔部（背面パネル固定用ねじ孔３ｃ）に該固定部材（背面パネル固定用ねじ１２）を挿通することにより、前記背板（背面パネル２）の一方の面（背面）を前記受桟２０ａ，２０ｂに固定してなることを特徴としている。
【発明の効果】
【０００９】
以下に、本発明の効果について、図面の参照符号を付して説明する。請求項１の発明によれば、棚柱３が有する第１孔部（棚柱固定用ねじ孔３ｂ）に第１固定部材（棚柱固定用ねじ１１）を挿通することにより、背板（背面パネル２）の他方の面（表面）に当該棚柱３が固定され、その際、第１固定部材（棚柱固定用ねじ１１）の頭部が第１孔部（棚柱固定用ねじ孔３ｂ）に収納されて棚柱３の表面に露出することとなる。そしてさらに、第１孔部（棚柱固定用ねじ孔３ｂ）とは別々に設けられている第２孔部（背面パネル固定用ねじ孔３ｃ）に第２固定部材（背面パネル固定用ねじ１２）を挿通することにより、背板（背面パネル２）の一方の面（背面）が壁面Ｗ側に固定され、その際、第２固定部材（背面パネル固定用ねじ１２）の頭部が第２孔部（背面パネル固定用ねじ孔３ｃ）に収納されて棚柱３の表面に露出することとなる。これにより、第１固定部材（棚柱固定用ねじ１１），第２固定部材（背面パネル固定用ねじ１２）の頭部が目立ちにくくなるとと共に、背板（背面パネル２）の表面に露出することがなくなり、もって、意匠性を向上させることができる。
【００１０】
また、第１孔部（棚柱固定用ねじ孔３ｂ）と第２孔部（背面パネル固定用ねじ孔３ｃ）とを別々に設けることにより、工場において、背板（背面パネル２）の他方の面（表面）に棚柱３を固定しておき、現場において、背板（背面パネル２）の一方の面（背面）を壁面Ｗ側に固定することもできる。これにより、現場において、背板（背面パネル２）の他方の面（表面）に棚柱３を固定する必要がなくなるため、現場における取付作業性を向上させることができる。
【００１１】
一方、請求項２の発明によれば、背板（背面パネル２）の一方の面（背面）に設けられた当接部材（当て木６ａ，６ｂ）を壁面Ｗに固定された受桟２０ａ，２０ｂに掛止し、第２孔部（背面パネル固定用ねじ孔３ｃ）に第２固定部材（背面パネル固定用ねじ１２）を挿通することにより、背板（背面パネル２）の一方の面（背面）を受桟２０ａ，２０ｂに固定することができる。これにより、背板（背面パネル２）の一方の面（背面）を壁面Ｗ側に一人で容易に固定することができることとなるから、もって、現場における取付作業性をさらに向上させることができる。
【００１２】
また一方、請求項３の発明によれば、壁面Ｗに固定された受桟２０ａ，２０ｂに、背板（背面パネル２）の一方の面（背面）に固定された当接部材（当て木６ａ，６ｂ）を掛止し、背板（背面パネル２）の他方の面（表面）に固定された少なくとも一対の棚柱３に形成された固定部材（背面パネル固定用ねじ１２）を収納可能な孔部（背面パネル固定用ねじ孔３ｃ）に該固定部材（背面パネル固定用ねじ１２）を挿通することにより、背板（背面パネル２）の一方の面（背面）を受桟２０ａ，２０ｂに固定するようにしている。これにより、固定部材（背面パネル固定用ねじ１２）の頭部が目立ちにくくなると共に、背板（背面パネル２）の表面に露出することがなくなり、もって、意匠性を向上させることができる。さらに、背板（背面パネル２）の他方の面（表面）に予め棚柱３を固定しているから、現場において、背板（背面パネル２）の他方の面（表面）に棚柱３を固定する必要がなくなるため、現場における取付作業性を向上させることができる。またさらに、背板（背面パネル２）の一方の面（背面）を壁面Ｗ側に一人で容易に固定することができることとなるから、もって、現場における取付作業性をさらに向上させることができる。
【図面の簡単な説明】
【００１３】
【図１】本発明の一実施形態に係る壁取付け棚を示す正面斜視図である。
【図２】同実施形態に係る壁取付け棚の正面図である。
【図３】同実施形態に係る壁取付け棚の正面拡大図である。
【図４】（ａ）は、同実施形態に係る壁取付け棚の右側面断面図、（ｂ）は、（ａ）に示すＸ部分の拡大図、（ｃ）は、（ａ）に示すＹ部分の拡大図である。
【図５】受桟を壁面に固定する状態を示す正面斜視図である。
【図６】背面パネルに固定された当て木を受桟に掛止するとともに、背面パネルを受桟に固定する状態を示す正面斜視図である。
【図７】背面パネルに固定された当て木を受桟に掛止するとともに、背面パネルを受桟に固定する状態を示す右側面断面拡大図である。
【発明を実施するための形態】
【００１４】
以下に、本発明に係る壁取付け棚の一実施形態について、図面を参照して具体的に説明する。なお、以下の説明において、上下左右の方向を示す場合は、図示正面から見た場合の上下左右をいうものとする。
【００１５】
図１に示すように、壁取付け棚１は、壁面Ｗに取り付けられ、棚板８に本や日用雑貨等の物品を載置して収納するものである。この壁取付け棚１は、背面パネル２と、背面パネル２の表面（前面）に左右方向に所定間隔をあけて固定されると共に、複数の掛止孔３ａを有する１対の棚柱３と、背面パネル２の上面に固定される上カウンタ４と、背面パネル２の下面に固定される下カウンタ５と、背面パネル２の背面（後面）に上下方向に所定間隔をあけて固定される１対の当て木６ａ，６ｂと、１対の棚柱３の掛止孔３ａにそれぞれ掛止される１対の棚ブラケット７（図４も参照）と、１対の棚ブラケット７に載架される棚板８（図４も参照）と、を備えている。
【００１６】
背面パネル２は、図１及び図２に示すように、例えば、合板（芯材）の両面にオレフィンシート（面材）を貼着したフラッシュ構造の化粧合板からなる縦長矩形形状の板状部材である。この背面パネル２は、上面及び下面が床面Ｆ（図５参照）に対して平行になるように壁面Ｗに固定されると共に、左側面及び右側面が床面Ｆ（図５参照）に対して垂直になるように壁面Ｗに固定されるものである。なお、背面パネル２は、例えば、壁面Ｗと同色（例えば、白色）のオレフィンシートを使用することによって、壁面Ｗと調和した外観を呈することができ、また、表面にクロス（壁紙）を貼着することによって、任意の色調（例えば、灰色、青色）の外観を呈することができる。
【００１７】
一方、１対の棚柱３は、図１及び図２に示すように、一般に、チャンネルサポート（スリット、ダボ柱、ガチャ柱）と呼ばれる長尺の柱材であって、１対の棚ブラケット７を掛止するために、長手方向が床面Ｆ（図５参照）に対して垂直になるように、背面パネル２の表面左右方向に所定間隔をあけて固定されるものである。この棚柱３は、例えば、鉄（スチール）、ステンレス等の金属製の部材であって、図１〜図３に示すように、上下方向（長手方向）に間隔をあけて等配され、棚ブラケット７の掛止部７ａ（図４（ａ）参照）を掛止するための矩形形状の掛止孔３ａと、上下方向に間隔をあけて掛止孔３ａの間に配置され、背面パネル２に棚柱３を固定するための棚柱固定用ねじ１１が挿通される円形形状の棚柱固定用ねじ孔３ｂと、上下方向に間隔をあけて掛止孔３ａの間に配置され、背面パネル２を壁面Ｗに上下方向に間隔をあけて固定されている受桟２０ａ，２０ｂ（図５参照）に固定するための背面パネル固定用ねじ１２が挿通される円形形状の背面パネル固定用ねじ孔３ｃと、を有している。
【００１８】
この掛止孔３ａは、図４（ａ）に示すように、棚ブラケット７の掛止部７ａを選択的に掛止することによって、棚ブラケット７の高さ、すなわち、棚ブラケット７に載架される棚板８の高さを調整するものである。一方、棚柱固定用ねじ孔３ｂは、図３に示すように、皿タッピングねじ等の棚柱固定用ねじ１１の頭部が収納可能な段付きの貫通孔であって、図２に示すように、棚柱３の中央部において間隔をあけて複数箇所（本実施形態では、４箇所）に配置されるものである。また一方、背面パネル固定用ねじ孔３ｃは、図３に示すように、皿タッピングねじ等の背面パネル固定用ねじ１２の頭部が収納可能な段付きの貫通孔であって、図２に示すように、棚柱３の上部及び下部の２箇所に配置されるものである。
【００１９】
この背面パネル固定用ねじ孔３ｃについてより詳しく説明すると、この背面パネル固定用ねじ孔３ｃは、図３及び図４に示すように、背面パネル２の表面に棚柱３を固定し、背面に当て木６ａ，６ｂを固定した状態で当て木６ａ，６ｂを受桟２０ａ，２０ｂに掛止したとき、受桟２０ａ，２０ｂの高さ範囲内に位置するように配置されるものである。具体的には、上側の背面パネル固定用ねじ孔３ｃは、図４（ｂ）に示すように、上側の背面パネル固定用ねじ孔３ｃの中心と上カウンタ４の下面との間の高さＨ０が、上側の当て木６ａの上面と上カウンタ４の下面との間の隙間の高さＨ１と、上側の当て木６ａの高さＨ２と、の合計高さ（Ｈ１＋Ｈ２）よりも大きく（Ｈ０＞Ｈ１＋Ｈ２）、上側の当て木６ａの上面と上カウンタ４の下面との間の隙間の高さＨ１と、上側の当て木６ａの高さＨ２と、上側の受桟２０ａの高さＨ３と、の合計高さ（Ｈ１＋Ｈ２＋Ｈ３）よりも小さく（Ｈ０＜Ｈ１＋Ｈ２＋Ｈ３）なるように、上側の受桟２０ａの高さ範囲内に位置するように配置される。また、下側の背面パネル固定用ねじ孔３ｃは、図４（ｃ）に示すように、下側の背面パネル固定用ねじ孔３ｃの中心と下カウンタ５の上面との間の高さＨ１０が、下側の受桟２０ｂの下面と下カウンタ５の上面との間の隙間の高さＨ１１よりも大きく（Ｈ１０＞Ｈ１１）、下側の受桟２０ｂの下面と下カウンタ５の上面との間の隙間の高さＨ１１と、下側の受桟２０ｂの高さＨ１２と、の合計高さ（Ｈ１１＋Ｈ１２）よりも小さく（Ｈ１０＜Ｈ１１＋Ｈ１２）なるように、下側の受桟２０ｂの高さ範囲内に位置するように配置される。これにより、背面パネル２の表面に棚柱３を固定し、背面に当て木６ａ，６ｂを固定した状態で当て木６ａ，６ｂを受桟２０ａ，２０ｂに掛止したとき、背面パネル固定用ねじ孔３ｃが、受桟２０ａ，２０ｂの高さ範囲内に位置するように配置されることとなり、もって、背面パネル固定用ねじ孔３ｃに背面パネル固定用ねじ１２を挿通するようにすれば、背面パネル２を受桟２０ａ，２０ｂに固定することができる。
【００２０】
ところで、受桟２０ａ，２０ｂは、図５に示すように、合板からなる横長矩形形状の板状部材であって、受桟２０ａ，２０ｂの前方からコーススレッド等の受桟固定用ねじ１０を挿入することによって、下地Ｂを有する壁面Ｗに上下方向に間隔をあけて固定されるものである。この受桟２０ａの上面と受桟２０ｂの上面との間隔は、図２及び図４に示すように、当て木６ａの下面と当て木６ｂの下面との間隔と同一になっている。これにより、当て木６ａ，６ｂを受桟２０ａ，２０ｂに掛止することができることとなる。なお、受桟２０ａ，２０ｂは、当て木６ａ，６ｂと同一材料かつ同一サイズとなるように形成されており、もって、部品共通化による製造コストを低減することができる。
【００２１】
上カウンタ４及び下カウンタ５は、壁面Ｗとの仕切りとして機能するとともに、物品を載置して収納することが可能なものであり、図１に示すように、例えば、削片板（パーティクルボード、ＰＢ）の両面にオレフィンシートを貼着したフラッシュ構造の化粧合板からなる横長矩形形状の板状部材からなるものである。
【００２２】
ところで、このような部材からなる上カウンタ４の下面には、図４（ｂ）に示すように、背面パネル２の上端面に係合可能な係合溝４ａが形成されており、背面パネル２の上端面に係合溝４ａを係合した状態で、上カウンタ４の上方からコーススレッド等の固定用ねじ（図示せず）を挿入することによって、上カウンタ４が背面パネル２の上面に固定されるようになっている。また、下カウンタ５の上面には、図４（ｃ）に示すように、背面パネル２の下端面に係合可能な係合溝５ａが形成されており、背面パネル２の下端面に係合溝５ａを係合した状態で、下カウンタ５の下方から皿木ねじ等の固定用ねじ（図示せず）を挿入することによって、下カウンタ５が背面パネル２の下面に固定されるようになっている。これにより、上カウンタ４及び下カウンタ５は、床面Ｆ（図５参照）に対して平行となるように固定されることとなる。
【００２３】
一方、当て木６ａ，６ｂは、図１〜図４に示すように、合板からなる横長矩形形状の板状部材であって、当て木６ａ，６ｂの前面に接着材を塗布することによって、背面パネル２の背面に上下方向に間隔をあけて、床面Ｆ（図５参照）に対して平行となるように固定されるものである。なお、上側の当て木６ａは、図４（ｂ）に示すように、背面パネル２の背面の上部において、上側の当て木６ａの上面と上カウンタ４の下面との間に隙間（隙間の高さＨ１）が生成されるように固定されている。
【００２４】
棚ブラケット７は、例えば、鉄（スチール）、ステンレス等の金属製の板状部材であって、図４（ａ）に示すように、後面に突出して設けられ、棚柱３の複数箇所（図示では、２箇所）の掛止孔３ａに掛止される複数個（図示では、２個）の鉤形形状の掛止部７ａを有するとともに、上面に棚板８を載架する側面視で略Ｌ字形状をなす棚受である。このような棚ブラケット７は、図２に示すように、１対設けられており、同一高さとなる１対の掛止孔３ａに掛止されている。これにより、棚板８を床面Ｆに対して平行となるように載架することができる。なお、１対の棚ブラケット７は、複数箇所（図１及び図２では、各３箇所）に設けられており、もって、複数枚（図１及び図２では、３枚）の棚板８を載架することができる。
【００２５】
棚板８は、図１に示すように、例えば、削片板（パーティクルボード、ＰＢ）の両面にオレフィンシートを貼着したフラッシュ構造の化粧合板からなる横長矩形形状の板状部材である。このような棚板８は、上カウンタ４及び下カウンタ５と同一材料となるように形成されている。これにより、壁取付け棚１は、統一感のある外観を呈することができる。
【００２６】
なお、図１，図２，図４（ａ），（ｃ）に示す符号２１は、下カウンタ５を壁面Ｗに固定するためのＬ型アングルである。なお、このＬ型アングル２１は、強度的に問題が無ければ設けなくとも良い。
【００２７】
かくして、上記のように構成される壁取付け棚１を壁面Ｗに取り付けるには、まず、図５に示すように、受桟２０ａ，２０ｂの前方からコーススレッド等の受桟固定用ねじ１０を挿入することによって、下地Ｂを有する壁面Ｗに上下方向に間隔をあけて受桟２０ａ，２０ｂを壁面Ｗに固定する。次いで、工場において１対の棚柱３及び当て木６ａ，６ｂが固定された背面パネル２に、図６の破線で示すように、現場において上カウンタ４及び下カウンタ５を固定し、図７に示すように、背面パネル２に固定された当て木６ａ，６ｂを受桟２０ａ，２０ｂに掛止する。そして、図７に示すように、背面パネル固定用ねじ孔３ｃに背面パネル固定用ねじ１２を挿通し、背面パネル２を受桟２０ａ，２０ｂに固定する。次いで、図１に示すように、棚柱３の掛止孔３ａに棚ブラケット７の掛止部７ａを掛止し、棚ブラケット７に棚板８を載架する。
【００２８】
かくして、このようにして、壁取付け棚１が壁面Ｗに取り付けられることとなる。
【００２９】
しかして、以上説明した本実施形態によれば、棚柱３に形成された棚柱固定用ねじ孔３ｂに棚柱固定用ねじ１１を挿通することにより、背面パネル２の表面に当該棚柱３が固定され、その際、棚柱固定用ねじ１１の頭部が棚柱固定用ねじ孔３ｂに収納されて棚柱３の表面に露出することとなる。そしてさらに、棚柱固定用ねじ孔３ｂとは別々に設けられている背面パネル固定用ねじ孔３ｃに背面パネル固定用ねじ１２を挿通することにより、背面パネル２の背面が壁面Ｗ側に固定され、その際、背面パネル固定用ねじ１２の頭部が背面パネル固定用ねじ孔３ｃに収納されて棚柱３の表面に露出することとなる。これにより、棚柱固定用ねじ１１，背面パネル固定用ねじ１２の頭部が目立ちにくくなるとと共に、背面パネル２の表面に露出することがなくなり、もって、意匠性を向上させることができる。
【００３０】
また、本実施形態によれば、棚柱固定用ねじ孔３ｂと背面パネル固定用ねじ孔３ｃとを別々に設けることにより、工場において、背面パネル２の表面に棚柱３を固定しておき、現場において、背面パネル２背面を壁面Ｗ側に固定することもできる。これにより、現場において、背面パネル２の表面に棚柱３を固定する必要がなくなるため、現場における取付作業性を向上させることができる。
【００３１】
一方、本実施形態によれば、壁面Ｗに固定された受桟２０ａ，２０ｂに、工場において背面パネル２の背面に固定された当て木６ａ，６ｂを掛止し、背面パネル２の表面に工場において固定された一対の棚柱３に形成された背面パネル固定用ねじ１２を収納可能な背面パネル固定用ねじ孔３ｃに該背面パネル固定用ねじ１２を挿通することにより、背面パネル２の背面を受桟２０ａ，２０ｂに固定するようにしている。これにより、背面パネル固定用ねじ１２の頭部が目立ちにくくなると共に、背面パネル２の表面に露出することがなくなり、もって、意匠性を向上させることができる。さらに、背面パネル２の表面に工場において棚柱３を固定しているから、現場において、背面パネル２の表面に棚柱３を固定する必要がなくなるため、現場における取付作業性を向上させることができる。またさらに、背面パネル２の背面を壁面Ｗ側に一人で容易に固定することができることとなるから、もって、現場における取付作業性をさらに向上させることができる。
【００３２】
ところで、本実施形態においては、受桟２０ａ，２０ｂを壁面Ｗに固定し、背面パネル２に固定された当て木６ａ，６ｂを受桟２０ａ，２０ｂに掛止し、背面パネル２を受桟２０ａ，２０ｂに固定するものを例示したが、これに限らず、例えば、当て木６ａ，６ｂ及び受桟２０ａ，２０ｂを設けず、背面パネル２を壁面Ｗに固定するものであっても良い。しかしながら、背面パネル２を受桟２０ａ，２０ｂに固定するのが好ましい。背面パネル２の背面を壁面Ｗ側に一人で容易に固定することができ、もって、現場における取付作業性をさらに向上させることができるためである。
【００３３】
なお、本実施形態においては、壁取付け棚１として、一般的な本棚タイプのものを例示したが、これに限らず、例えば、下カウンタ５の前面にハンガーパイプを取り付けたクローゼットタイプのものであっても良く、さらに、背面パネル２の表面に鏡を取り付けたドレッサータイプのものであっても良い。また、背面パネル２と壁面Ｗとの間の隙間を閉塞し、意匠性を向上させるために、背面パネル２の背面にフィラーを取り付けたものであっても良い。
【００３４】
なお、本実施形態において示した壁取付け棚１の背面パネル２や棚柱３等の形状等はあくまで一例であり、特許請求の範囲に記載された本発明の要旨の範囲内において、種々の変形・変更が可能である。
【符号の説明】
【００３５】
１              壁取付け棚
２              背面パネル（背板）
３              棚柱
３ａ            掛止孔
３ｂ            棚柱固定用ねじ孔（第１孔部）
３ｃ            背面パネル固定用ねじ孔（第２孔部、孔部）
４              上カウンタ
４ａ            係合溝
５              下カウンタ
５ａ            係合溝
６ａ，６ｂ      当て木（当接部材）
７              棚ブラケット
７ａ            掛止部
８              棚板
１０            受桟固定用ねじ
１１            棚柱固定用ねじ（第１固定部材）
１２            背面パネル固定用ねじ（第２固定部材、固定部材）
２０ａ，２０ｂ  受桟
２１            Ｌ型アングル
Ｂ              下地
Ｆ              床面
Ｗ              壁面
【図１】
2018161171.tif 000003
【図２】
2018161171.tif 000004
【図３】
2018161171.tif 000005
【図４】
2018161171.tif 000006
【図５】
2018161171.tif 000007
【図６】
2018161171.tif 000008
【図７】
2018161171.tif 000009